【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
フレームの１つまたは複数のサブフレーム内のいくつかのシンボルに適用されるバイナリコードカバーと少なくとも１つのシーケンスとを利用して１次同期信号（ＰＳＳ）を生成すること、ここにおいて、前記バイナリコードカバーが、［１  １  １  １  −１  −１  １  １  １  −１  １］の１１個のシンボルシーケンスの長さを備える、と、
より広いシステム帯域幅の１つまたは複数の狭帯域領域上で通信する第１のタイプのユーザ機器（ＵＥ）に前記ＰＳＳと２次同期信号（ＳＳＳ）とを送信することと
を備える、方法。
【請求項２】
前記少なくとも１つのシーケンスが基本シーケンスを備える、ここにおいて、前記基本シーケンスが、５のルートインデックスをもつサイズが１１のＺａｄｏｆｆ−Ｃｈｕシーケンスを備える、請求項１に記載の方法。
【請求項３】
前記少なくとも１つのシーケンスが、最適化されたＰＳＳ候補のセットに対応する候補基本シーケンスのセットから選択される、請求項１に記載の方法。
【請求項４】
最適化されたＰＳＳ候補の前記セットが、所与のバイナリコードカバーのための候補シーケンスのスライディング自己相関関数に関与する最適化手順を使用して評価される、請求項３に記載の方法。
【請求項５】
前記少なくとも１つのシーケンスが、シーケンスのペアを備える、請求項１に記載の方法。
【請求項６】
シーケンスの前記ペアが、直交シーケンスまたは擬似直交シーケンスのうちの１つを備える、請求項５に記載の方法。
【請求項７】
Ｚａｄｏｆｆ−Ｃｈｕシーケンスの補間に少なくとも部分的に基づいてシーケンスの前記ペアを決定すること
をさらに備える、請求項５に記載の方法。
【請求項８】
前記ＰＳＳおよびＳＳＳが、短いＺａｄｏｆｆ−Ｃｈｕシーケンスに基づく、請求項１に記載の方法。
【請求項９】
前記ＰＳＳおよびＳＳＳを送信することが、
前記フレーム中の隣接するサブフレーム中で前記ＰＳＳおよびＳＳＳを送信すること
を備える、請求項１に記載の方法。
【請求項１０】
前記いくつかのシンボルが、前記より広いシステム帯域幅上で通信する第２のタイプのＵＥと通信するために使用されるリソース要素と同じサブキャリア間隔を有するリソース要素にマッピングされる、請求項１に記載の方法。
【請求項１１】
前記ＰＳＳおよびＳＳＳが、前記第２のタイプのＵＥと通信するために使用されない前記１つまたは複数のサブフレームのリソース要素を使用して送信される、請求項１０に記載の方法。
【請求項１２】
前記ＳＳＳが、セル識別情報（セルＩＤ）と追加のシステム情報とを搬送するために使用される、請求項１に記載の方法。
【請求項１３】
前記追加のシステム情報が、少なくともサブフレームＩＤを備える、請求項１２に記載の方法。
【請求項１４】
擬似直交シーケンスに基づいて前記ＳＳＳを生成すること
をさらに備える、請求項１に記載の方法。
【請求項１５】
より広いシステム帯域幅の１つまたは複数の狭帯域領域上で通信する第１のタイプのユーザ機器（ＵＥ）によるワイヤレス通信のための方法であって、
前記より広いシステム帯域幅の前記１つまたは複数の狭帯域領域内で、フレームの１つまたは複数のサブフレーム内のいくつかのシンボルに適用されるバイナリコードカバーと少なくとも１つのシーケンスとを利用して生成される１次同期信号（ＰＳＳ）を検出すること、ここにおいて、前記バイナリコードカバーが、［１  １  １  １  −１  −１  １  １  １  −１  １］の１１個のシンボルシーケンスの長さを備える、と、
前記検出されたＰＳＳに基づいて初期時間および周波数取得を実行することと
を備える、方法。
【請求項１６】
前記少なくとも１つのシーケンスが基本シーケンスを備える、ここにおいて、前記基本シーケンスが、５のルートインデックスをもつサイズが１１のＺａｄｏｆｆ−Ｃｈｕシーケンスを備える、請求項１５に記載の方法。
【請求項１７】
前記初期時間および周波数取得を実行することが、時間領域中の前記ＰＳＳのスライディング自己相関手順を伴う、請求項１５に記載の方法。
【請求項１８】
前記スライディング自己相関手順が、隣接ＰＳＳシンボルと非隣接ＰＳＳシンボルとの間でシンボルごとの相関を実行することを伴う、請求項１７に記載の方法。
【請求項１９】
前記ＰＳＳの検出が、複数のサブフレームを介したＰＳＳ再送信に基づいて実行される、請求項１５に記載の方法。
【請求項２０】
前記ＰＳＳの前記検出が、ＰＳＳ再送信のコヒーレント累積を伴う、請求項１９に記載の方法。
【請求項２１】
前記初期時間および周波数取得が、前記時間領域中で実行される、請求項１５に記載の方法。
【請求項２２】
前記初期時間取得を実行することが、
前記ＰＳＳに対して粗いおよび細かいシンボル境界推定を実行すること
を備える、請求項１５に記載の方法。
【請求項２３】
前記初期周波数取得を実行することが、
フラクショナル搬送周波数オフセット（ＣＦＯ）を発見するために時間同期されたＰＳＳの時間領域中の自己相関に基づいて、前記ＰＳＳから、フラクショナル周波数オフセット補正を実行することと、
前記ＰＳＳの整数ＣＦＯを発見するために、前記ＰＳＳから、前記時間領域中の前記ＰＳＳと受信信号のレプリカとの間の整数周波数オフセット補正ベース相互相関を実行することと
を備える、請求項２２に記載の方法。
【請求項２４】
前記いくつかのシンボルが、前記より広いシステム帯域幅上で通信する第２のタイプのＵＥと通信するために使用されるリソース要素と同じサブキャリア間隔を有するリソース要素にマッピングされる、請求項１５に記載の方法。
【請求項２５】
前記ＰＳＳおよびＳＳＳが、前記第２のタイプのＵＥと通信するために使用されない前記１つまたは複数のサブフレームのリソース要素を使用して受信される、請求項２４に記載の方法。
【請求項２６】
前記ＰＳＳが、短いＺａｄｏｆｆ−Ｃｈｕシーケンスに基づく、請求項１５に記載の方法。
【請求項２７】
前記１つまたは複数の狭帯域領域内で、２次同期信号（ＳＳＳ）を検出することと、
前記検出されたＳＳＳに少なくとも部分的に基づいて、前記初期時間および周波数取得を改善することと
をさらに備える、請求項１５に記載の方法。
【請求項２８】
前記ＰＳＳおよびＳＳＳが、前記フレームの隣接するサブフレーム上で受信される、請求項２７に記載の方法。
【請求項２９】
前記ＳＳＳから、セル識別情報（セルＩＤ）と追加のシステム情報とを決定することをさらに備える、請求項２７に記載の方法。
【請求項３０】
前記追加のシステム情報が、少なくともサブフレームＩＤを備える、請求項２９に記載の方法。
【請求項３１】
基地局（ＢＳ）によるワイヤレス通信のための装置であって、
フレームの１つまたは複数のサブフレーム内のいくつかのシンボルに適用されるバイナリコードカバーと少なくとも１つのシーケンスとを利用して１次同期信号（ＰＳＳ）を生成するための手段、ここにおいて、前記バイナリコードカバーが、［１  １  １  １  −１  −１  １  １  １  −１  １］の１１個のシンボルシーケンスの長さを備える、と、
より広いシステム帯域幅の１つまたは複数の狭帯域領域上で通信する第１のタイプのユーザ機器（ＵＥ）に前記ＰＳＳと２次同期信号（ＳＳＳ）とをミーンズ送信することと
を備える、装置。
【請求項３２】
より広いシステム帯域幅の１つまたは複数の狭帯域領域上で通信する第１のタイプのユーザ機器（ＵＥ）によるワイヤレス通信のための装置であって、
前記より広いシステム帯域幅の前記１つまたは複数の狭帯域領域内で、フレームの１つまたは複数のサブフレーム内のいくつかのシンボルに適用されるバイナリコードカバーと少なくとも１つのシーケンスとを利用して生成される１次同期信号（ＰＳＳ）を検出するための手段、ここにおいて、前記バイナリコードカバーが、［１  １  １  １  −１  −１  １  １  １  −１  １］の１１個のシンボルシーケンスの長さを備える、と、
前記検出されたＰＳＳに基づいて初期時間および周波数取得を実行するための手段と
を備える、装置。
【請求項３３】
基地局（ＢＳ）によるワイヤレス通信のための装置であって、
フレームの１つまたは複数のサブフレーム内のいくつかのシンボルに適用されるバイナリコードカバーと少なくとも１つのシーケンスとを利用して１次同期信号（ＰＳＳ）を生成すること、ここにおいて、前記バイナリコードカバーが、［１  １  １  １  −１  −１  １  １  １  −１  １］の１１個のシンボルシーケンスの長さを備える、と、
より広いシステム帯域幅の１つまたは複数の狭帯域領域上で通信する第１のタイプのユーザ機器（ＵＥ）に前記ＰＳＳと２次同期信号（ＳＳＳ）とを送信することと
を行うように構成された少なくとも１つのプロセッサと、
前記少なくとも１つのプロセッサに結合されたメモリと
を備える、装置。
【請求項３４】
より広いシステム帯域幅の１つまたは複数の狭帯域領域上で通信する第１のタイプのユーザ機器（ＵＥ）によるワイヤレス通信のための装置であって、
前記より広いシステム帯域幅の前記１つまたは複数の狭帯域領域内で、フレームの１つまたは複数のサブフレーム内のいくつかのシンボルに適用されるバイナリコードカバーと少なくとも１つのシーケンスとを利用して生成される１次同期信号（ＰＳＳ）を検出すること、ここにおいて、前記バイナリコードカバーが、［１  １  １  １  −１  −１  １  １  １  −１  １］の１１個のシンボルシーケンスの長さを備える、と、
前記検出されたＰＳＳに基づいて初期時間および周波数取得を実行することと
を行うように構成された少なくとも１つのプロセッサと、
前記少なくとも１つのプロセッサに結合されたメモリと
を備える、装置。
【請求項３５】
フレームの１つまたは複数のサブフレーム内のいくつかのシンボルに適用されるバイナリコードカバーと少なくとも１つのシーケンスとを利用して１次同期信号（ＰＳＳ）を生成すること、ここにおいて、前記バイナリコードカバーが、［１  １  １  １  −１  −１  １  １  １  −１  １］の１１個のシンボルシーケンスの長さを備える、と、
より広いシステム帯域幅の１つまたは複数の狭帯域領域上で通信する第１のタイプのユーザ機器（ＵＥ）に前記ＰＳＳと２次同期信号（ＳＳＳ）とを送信することと
を行うための命令を記憶した基地局（ＢＳ）によるワイヤレス通信のためのコンピュータ可読媒体。
【請求項３６】
より広いシステム帯域幅の１つまたは複数の狭帯域領域内で、フレームの１つまたは複数のサブフレーム内のいくつかのシンボルに適用されるバイナリコードカバーと少なくとも１つのシーケンスとを利用して生成される１次同期信号（ＰＳＳ）を検出すること、ここにおいて、前記バイナリコードカバーが、［１  １  １  １  −１  −１  １  １  １  −１  １］の１１個のシンボルシーケンスの長さを備える、と、
前記検出されたＰＳＳに基づいて初期時間および周波数取得を実行することと
を行うための命令を記憶した、前記より広いシステム帯域幅の前記１つまたは複数の狭帯域領域上で通信する第１のタイプのユーザ機器（ＵＥ）によるワイヤレス通信のためのコンピュータ可読媒体。
【手続補正２】
【補正対象書類名】明細書
【補正対象項目名】０２０９
【補正方法】変更
【補正の内容】
【０２０９】
[0197]本開示についての以上の説明は、いかなる当業者も本開示を作成または使用することができるように与えられたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示された原理および新規の特徴に合致する最も広い範囲を与えられるべきである。
以下に、本願出願の当初の特許請求の範囲に記載された発明を付記する。
［Ｃ１］
基地局（ＢＳ）によるワイヤレス通信のための方法であって、
フレームの１つまたは複数のサブフレーム内のいくつかのシンボルに適用されるバイナリコードカバーと少なくとも１つのシーケンスとを利用して１次同期信号（ＰＳＳ）を生成することと、
より広いシステム帯域幅の１つまたは複数の狭帯域領域上で通信する第１のタイプのユーザ機器（ＵＥ）に前記ＰＳＳと２次同期信号（ＳＳＳ）とを送信することと
を備える、方法。
［Ｃ２］
前記バイナリコードカバーが、［１  １  １  １  −１  −１  １  １  １  −１  １］の１１個のシンボルシーケンスの長さを備える、［Ｃ１］に記載の方法。
［Ｃ３］
前記少なくとも１つのシーケンスが基本シーケンスを備える、ここにおいて、前記基本シーケンスが、５のルートインデックスをもつサイズが１１のＺａｄｏｆｆ−Ｃｈｕシーケンスを備える、［Ｃ１］に記載の方法。
［Ｃ４］
前記少なくとも１つのシーケンスが、最適化されたＰＳＳ候補のセットに対応する候補基本シーケンスのセットから選択される、［Ｃ１］に記載の方法。
［Ｃ５］
最適化されたＰＳＳ候補の前記セットが、所与のバイナリコードカバーのための候補シーケンスのスライディング自己相関関数に関与する最適化手順を使用して評価される、［Ｃ４］に記載の方法。
［Ｃ６］
前記少なくとも１つのシーケンスが、シーケンスのペアを備える、［Ｃ１］に記載の方法。
［Ｃ７］
シーケンスの前記ペアが、直交シーケンスまたは擬似直交シーケンスのうちの１つを備える、［Ｃ６］に記載の方法。
［Ｃ８］
Ｚａｄｏｆｆ−Ｃｈｕシーケンスの補間に少なくとも部分的に基づいてシーケンスの前記ペアを決定すること
をさらに備える、［Ｃ６］に記載の方法。
［Ｃ９］
前記ＰＳＳおよびＳＳＳが、短いＺａｄｏｆｆ−Ｃｈｕシーケンスに基づく、［Ｃ１］に記載の方法。
［Ｃ１０］
前記ＰＳＳおよびＳＳＳを送信することが、
前記フレーム中の隣接するサブフレーム中で前記ＰＳＳおよびＳＳＳを送信すること  を備える、［Ｃ１］に記載の方法。
［Ｃ１１］
前記いくつかのシンボルが、前記より広いシステム帯域幅上で通信する第２のタイプのＵＥと通信するために使用されるリソース要素と同じサブキャリア間隔を有するリソース要素にマッピングされる、［Ｃ１］に記載の方法。
［Ｃ１２］
前記ＰＳＳおよびＳＳＳが、前記第２のタイプのＵＥと通信するために使用されない前記１つまたは複数のサブフレームのリソース要素を使用して送信される、［Ｃ１１］に記載の方法。
［Ｃ１３］
前記ＳＳＳが、セル識別情報（セルＩＤ）と追加のシステム情報とを搬送するために使用される、［Ｃ１］に記載の方法。
［Ｃ１４］
前記追加のシステム情報が、少なくともサブフレームＩＤを備える、［Ｃ１３］に記載の方法。
［Ｃ１５］
擬似直交シーケンスに基づいて前記ＳＳＳを生成すること
をさらに備える、［Ｃ１］に記載の方法。
［Ｃ１６］
より広いシステム帯域幅の１つまたは複数の狭帯域領域上で通信する第１のタイプのユーザ機器（ＵＥ）によるワイヤレス通信のための方法であって、
前記より広いシステム帯域幅の前記１つまたは複数の狭帯域領域内で、フレームの１つまたは複数のサブフレーム内のいくつかのシンボルに適用されるバイナリコードカバーと少なくとも１つのシーケンスとを利用して生成される１次同期信号（ＰＳＳ）を検出することと、
前記検出されたＰＳＳに基づいて初期時間および周波数取得を実行することと、
前記１つまたは複数の狭帯域領域内で、前記初期時間および周波数取得を改善するために２次同期信号（ＳＳＳ）を検出することと
を備える、方法。
［Ｃ１７］
前記バイナリコードカバーが、［１  １  １  １  −１  −１  １  １  １  −１  １］の１１個のシンボルシーケンスの長さを備える、［Ｃ１６］に記載の方法。
［Ｃ１８］
前記少なくとも１つのシーケンスが基本シーケンスを備える、ここにおいて、前記基本シーケンスが、５のルートインデックスをもつサイズが１１のＺａｄｏｆｆ−Ｃｈｕシーケンスを備える、［Ｃ１６］に記載の方法。
［Ｃ１９］
前記初期時間および周波数取得を実行することが、時間領域中の前記ＰＳＳのスライディング自己相関手順を伴う、［Ｃ１６］に記載の方法。
［Ｃ２０］
前記スライディング自己相関手順が、隣接ＰＳＳシンボルと非隣接ＰＳＳシンボルとの間でシンボルごとの相関を実行することを伴う、［Ｃ１９］に記載の方法。
［Ｃ２１］
前記ＰＳＳの検出が、複数のサブフレームを介したＰＳＳ再送信に基づいて実行される、［Ｃ１６］に記載の方法。
［Ｃ２２］
前記ＰＳＳの前記検出が、ＰＳＳ再送信のコヒーレント累積を伴う、［Ｃ２１］に記載の方法。
［Ｃ２３］
前記初期時間および周波数取得が、前記時間領域中で実行される、［Ｃ１６］に記載の方法。
［Ｃ２４］
前記初期時間取得を実行することが、
前記ＰＳＳに対して粗いおよび細かいシンボル境界推定を実行すること
を備える、［Ｃ１６］に記載の方法。
［Ｃ２５］
前記初期周波数取得を実行することが、
フラクショナル搬送周波数オフセット（ＣＦＯ）を発見するために時間同期されたＰＳＳの時間領域中の自己相関に基づいて、前記ＰＳＳから、フラクショナル周波数オフセット補正を実行することと、
前記ＰＳＳの整数ＣＦＯを発見するために、前記ＰＳＳから、前記時間領域中の前記ＰＳＳと受信信号のレプリカとの間の整数周波数オフセット補正ベース相互相関を実行することと
を備える、［Ｃ２４］に記載の方法。
［Ｃ２６］
前記いくつかのシンボルが、前記より広いシステム帯域幅上で通信する第２のタイプのＵＥと通信するために使用されるリソース要素と同じサブキャリア間隔を有するリソース要素にマッピングされる、［Ｃ１６］に記載の方法。
［Ｃ２７］
前記ＰＳＳおよびＳＳＳが、前記第２のタイプのＵＥと通信するために使用されない前記１つまたは複数のサブフレームのリソース要素を使用して受信される、［Ｃ２６］に記載の方法。
［Ｃ２８］
前記ＰＳＳおよびＳＳＳが、前記フレームの隣接するサブフレーム上で受信される、［Ｃ１６］に記載の方法。
［Ｃ２９］
前記ＳＳＳから、セル識別情報（セルＩＤ）と追加のシステム情報とを決定することと  をさらに備える、［Ｃ１６］に記載の方法。
［Ｃ３０］
前記追加のシステム情報が、少なくともサブフレームＩＤを備える、［Ｃ２９］に記載の方法。
［Ｃ３１］
前記ＰＳＳおよびＳＳＳが、短いＺａｄｏｆｆ−Ｃｈｕシーケンスに基づく、［Ｃ１６］に記載の方法。
［Ｃ３２］
基地局（ＢＳ）によるワイヤレス通信のための装置であって、
フレームの１つまたは複数のサブフレーム内のいくつかのシンボルに適用されるバイナリコードカバーと少なくとも１つのシーケンスとを利用して１次同期信号（ＰＳＳ）を生成するための手段と、
より広いシステム帯域幅の１つまたは複数の狭帯域領域上で通信する第１のタイプのユーザ機器（ＵＥ）に前記ＰＳＳと２次同期信号（ＳＳＳ）とをミーンズ送信することと  を備える、装置。
［Ｃ３３］
より広いシステム帯域幅の１つまたは複数の狭帯域領域上で通信する第１のタイプのユーザ機器（ＵＥ）によるワイヤレス通信のための装置であって、
前記より広いシステム帯域幅の前記１つまたは複数の狭帯域領域内で、フレームの１つまたは複数のサブフレーム内のいくつかのシンボルに適用されるバイナリコードカバーと少なくとも１つのシーケンスとを利用して生成される１次同期信号（ＰＳＳ）を検出するための手段と、
前記検出されたＰＳＳに基づいて初期時間および周波数取得を実行するための手段と、  前記１つまたは複数の狭帯域領域内で、前記初期時間および周波数取得を改善するために２次同期信号（ＳＳＳ）を検出するための手段と
を備える、装置。
［Ｃ３４］
基地局（ＢＳ）によるワイヤレス通信のための装置であって、
フレームの１つまたは複数のサブフレーム内のいくつかのシンボルに適用されるバイナリコードカバーと少なくとも１つのシーケンスとを利用して１次同期信号（ＰＳＳ）を生成することと、
より広いシステム帯域幅の１つまたは複数の狭帯域領域上で通信する第１のタイプのユーザ機器（ＵＥ）に前記ＰＳＳと２次同期信号（ＳＳＳ）とを送信することと
を行うように構成された少なくとも１つのプロセッサと、
前記少なくとも１つのプロセッサに結合されたメモリと
を備える、装置。
［Ｃ３５］
より広いシステム帯域幅の１つまたは複数の狭帯域領域上で通信する第１のタイプのユーザ機器（ＵＥ）によるワイヤレス通信のための装置であって、
前記より広いシステム帯域幅の前記１つまたは複数の狭帯域領域内で、フレームの１つまたは複数のサブフレーム内のいくつかのシンボルに適用されるバイナリコードカバーと少なくとも１つのシーケンスとを利用して生成される１次同期信号（ＰＳＳ）を検出することと、
前記検出されたＰＳＳに基づいて初期時間および周波数取得を実行することと、
前記１つまたは複数の狭帯域領域内で、前記初期時間および周波数取得を改善するために２次同期信号（ＳＳＳ）を検出することと
を行うように構成された少なくとも１つのプロセッサと、
前記少なくとも１つのプロセッサに結合されたメモリと
を備える、装置。
［Ｃ３６］
フレームの１つまたは複数のサブフレーム内のいくつかのシンボルに適用されるバイナリコードカバーと少なくとも１つのシーケンスとを利用して１次同期信号（ＰＳＳ）を生成することと、
より広いシステム帯域幅の１つまたは複数の狭帯域領域上で通信する第１のタイプのユーザ機器（ＵＥ）に前記ＰＳＳと２次同期信号（ＳＳＳ）とを送信することと
を行うための命令を記憶した基地局（ＢＳ）によるワイヤレス通信のためのコンピュータ可読媒体。
［Ｃ３７］
より広いシステム帯域幅の１つまたは複数の狭帯域領域内で、フレームの１つまたは複数のサブフレーム内のいくつかのシンボルに適用されるバイナリコードカバーと少なくとも１つのシーケンスとを利用して生成される１次同期信号（ＰＳＳ）を検出することと、  前記検出されたＰＳＳに基づいて初期時間および周波数取得を実行することと、
前記１つまたは複数の狭帯域領域内で、前記初期時間および周波数取得を改善するために２次同期信号（ＳＳＳ）を検出することと
を行うための命令を記憶した、前記より広いシステム帯域幅の前記１つまたは複数の狭帯域領域上で通信する第１のタイプのユーザ機器（ＵＥ）によるワイヤレス通信のためのコンピュータ可読媒体。